(57)【特許請求の範囲】
【請求項１】
光ディスクの内周側領域に記録した管理用テーブルにより、プログラムエリアを管理して、前記プログラムエリアに所望のファイルを記録する光ディスク装置であって、
前記ファイルの管理用情報を生成する管理用情報生成手段と、
前記ファイルと、前記ファイルに対応する前記管理用情報とを組にして前記光ディスクのプログラムエリアに記録する記録手段と、
少なくとも前記管理用情報生成手段、前記記録手段の動作を制御する制御手段とを備え、
前記制御手段は、
前記ファイルが、前記光ディスク専用の再生装置により再生可能なフォーマットによる動画ファイルの場合、
該ファイルと、該ファイルの管理用情報とを組にして前記プログラムエリアに記録すると共に、該管理用情報の記録位置情報を前記管理用テーブルに記録し、
前記ファイルが、前記光ディスク専用の再生装置により再生可能なフォーマットによる動画ファイル以外の拡張ファイルの場合、
前記動画ファイルの場合とは、記録フォーマットを切り換えて、該拡張ファイルと、該拡張ファイルの管理用情報とを組にして前記プログラムエリアに記録し、
少なくとも該拡張ファイルの管理用情報の記録位置情報を有する拡張ファイルの案内情報を前記光ディスクに記録し、
前記拡張ファイルの案内情報の記録位置情報を前記管理用テーブルに記録する
ことを特徴とする光ディスク装置。
【請求項２】
前記拡張ファイルの案内情報の記録位置が、
前記光ディスクの最初のファイルの記録開始位置の内周側領域である
ことを特徴とする請求項１に記載の光ディスク装置。
【請求項３】
前記拡張ファイルの案内情報の記録位置が、
前記光ディスクに記録された最後の前記拡張ファイルに続く領域である
ことを特徴とする請求項１に記載の光ディスク装置。
【請求項４】
前記制御手段は、
前記ファイルが前記動画ファイルの場合、前記動画ファイルの前記管理用情報、前記動画ファイル、前記管理用情報のバックアップ用情報が順次連続するように、前記ファイル及び前記管理用情報を記録し、
前記ファイルが前記拡張ファイルの場合、前記拡張ファイル、対応する前記管理用情報の順となるように、前記拡張ファイル及び前記管理用情報を記録することにより、
前記ファイル及び前記管理用情報の記録フォーマットを切り換える
ことを特徴とする請求項１に記載の光ディスク装置。
【請求項５】
前記制御手段は、
前記ファイルが動画ファイルの場合、ＤＶＤビデオフォーマットにより記録するように、前記ファイル及び前記管理用情報を設定する
ことを特徴とする請求項１に記載の光ディスク装置。
【請求項６】
前記管理用情報は、
少なくとも前記ファイルの記録位置を示す位置情報、ファイルサイズの情報である
ことを特徴とする請求項１に記載の光ディスク装置。
【請求項７】
前記制御手段は、
前記拡張ファイルの追加記録により対応する管理用情報を記録する場合、既に記録済の拡張ファイルについての前記管理用情報をまとめて、前記追加記録に係る拡張ファイルに続いて記録し、
前記まとめた管理用情報の記録に対応するように、前記拡張ファイルの案内情報を更新する
ことを特徴とする請求項１に記載の光ディスク装置。
【請求項８】
前記拡張ファイルの案内情報、前記管理用情報に基づいて、前記光ディスクに記録された各属性の前記ファイルを再生する再生手段を有する
ことを特徴とする請求項１に記載の光ディスク装置。
【請求項９】
前記制御手段は、
前記管理用テーブルに基づいて、
前記光ディスクの管理用情報記録領域のうちの、第１の管理用情報記録領域に、前記光ディスクに記録された全てのファイルについて、前記組による前記管理用情報をまとめて記録するように、
前記管理用情報記録領域のうちの、第２の管理用情報記録領域に、前記光ディスクに記録された前記動画ファイルについてのみ、前記組による前記管理用情報をまとめて記録するように、
前記管理用情報生成手段、前記記録手段の動作を制御する
ことを特徴とする請求項１に記載の光ディスク装置。
【請求項１０】
前記第１の管理用情報記録領域が、コンピュータによるファイル管理システムに対応する領域であり、
前記第２の管理用情報記録領域が、ＤＶＤビデオフォーマットのファイル管理システムに対応する領域である
ことを特徴とする請求項９に記載の光ディスク装置。
【請求項１１】
光ディスクの内周側領域に記録した管理用テーブルにより、プログラムエリアを管理して、前記プログラムエリアに所望のファイルを記録する光ディスクの記録方法であって、
前記ファイルが、前記光ディスク専用の再生装置により再生可能なフォーマットによる動画ファイルの場合、
該ファイルと、該ファイルの管理用情報とを組にして前記プログラムエリアに記録すると共に、該管理用情報の記録位置情報を前記管理用テーブルに記録し、
前記ファイルが、前記光ディスク専用の再生装置により再生可能なフォーマットによる動画ファイル以外の拡張ファイルの場合、
前記動画ファイルの場合とは、記録フォーマットを切り換えて、該拡張ファイルと、該拡張ファイルの管理用情報とを組にして前記プログラムエリアに記録し、
少なくとも該拡張ファイルの管理用情報の記録位置情報を有する拡張ファイルの案内情報を前記光ディスクに記録し、
前記拡張ファイルの案内情報の記録位置情報を前記管理用テーブルに記録する
ことを特徴とする光ディスクの記録方法。
【請求項１２】
前記拡張ファイルの案内情報の記録位置が、
前記光ディスクの最初のファイルの記録開始位置の内周側領域である
ことを特徴とする請求項１１に記載の光ディスクの記録方法。
【請求項１３】
前記拡張ファイルの案内情報の記録位置が、
前記光ディスクに記録された最後の前記拡張ファイルに続く領域である
ことを特徴とする請求項１１に記載の光ディスクの記録方法。
【請求項１４】
前記ファイルが前記動画ファイルの場合、前記動画ファイルの前記管理用情報、前記動画ファイル、前記管理用情報のバックアップ用情報が順次連続するように、前記ファイル及び前記管理用情報を記録し、
前記ファイルが前記拡張ファイルの場合、前記拡張ファイル、対応する前記管理用情報の順となるように、前記拡張ファイル及び前記管理用情報を記録することにより、
前記ファイル及び前記管理用情報の記録フォーマットを切り換える
ことを特徴とする請求項１１に記載の光ディスクの記録方法。
【請求項１５】
前記ファイルが動画ファイルの場合、ＤＶＤビデオフォーマットにより記録するように、前記ファイル及び前記管理用情報を設定する
ことを特徴とする請求項１１に記載の光ディスクの記録方法。
【請求項１６】
前記管理用情報は、
少なくとも前記ファイルの記録位置を示す位置情報、ファイルサイズの情報である
ことを特徴とする請求項１１に記載の光ディスクの記録方法。
【請求項１７】
前記拡張ファイルの追加記録により対応する管理用情報を記録する場合、既に記録済の拡張ファイルについての前記管理用情報をまとめて、前記追加記録に係る拡張ファイルに続いて記録し、
前記まとめた管理用情報の記録に対応するように、前記拡張ファイルの案内情報を更新する
ことを特徴とする請求項１１に記載の光ディスクの記録方法。
【請求項１８】
前記管理用テーブルに基づいて、
前記光ディスクの管理用情報記録領域のうちの、第１の管理用情報記録領域に、前記光ディスクに記録された全てのファイルについて、前記組による前記管理用情報をまとめて記録し、
前記管理用情報記録領域のうちの、第２の管理用情報記録領域に、前記光ディスクに記録された前記動画ファイルについてのみ、前記組による前記管理用情報をまとめて記録する
ことを特徴とする請求項１１に記載の光ディスクの記録方法。
【請求項１９】
前記第１の管理用情報記録領域が、コンピュータによるファイル管理システムに対応する領域であり、
前記第２の管理用情報記録領域が、ＤＶＤビデオフォーマットのファイル管理システムに対応する領域である
ことを特徴とする請求項１８に記載の光ディスクの記録方法。
【請求項２０】
光ディスクの内周側領域に記録した管理用テーブルにより、プログラムエリアを管理して、前記プログラムエリアに所望のファイルを記録する光ディスクの記録方法のプログラムであって、
前記ファイルが、前記光ディスク専用の再生装置により再生可能なフォーマットによる動画ファイルの場合、
該ファイルと、該ファイルの管理用情報とを組にして前記プログラムエリアに記録すると共に、該管理用情報の記録位置情報を前記管理用テーブルに記録し、
前記ファイルが、前記光ディスク専用の再生装置により再生可能なフォーマットによる動画ファイル以外の拡張ファイルの場合、
前記動画ファイルの場合とは、記録フォーマットを切り換えて、該拡張ファイルと、該拡張ファイルの管理用情報とを組にして前記プログラムエリアに記録し、
少なくとも該拡張ファイルの管理用情報の記録位置情報を有する拡張ファイルの案内情報を前記光ディスクに記録し、
前記拡張ファイルの案内情報の記録位置情報を前記管理用テーブルに記録する
ことを特徴とする光ディスクの記録方法のプログラム。
【請求項２１】
前記拡張ファイルの案内情報の記録位置が、
前記光ディスクの最初のファイルの記録開始位置の内周側領域である
ことを特徴とする請求項２０に記載の光ディスクの記録方法のプログラム。
【請求項２２】
前記拡張ファイルの案内情報の記録位置が、
前記光ディスクに記録された最後の前記拡張ファイルに続く領域である
ことを特徴とする請求項２０に記載の光ディスクの記録方法のプログラム。
【請求項２３】
前記ファイルが前記動画ファイルの場合、前記動画ファイルの前記管理用情報、前記動画ファイル、前記管理用情報のバックアップ用情報が順次連続するように、前記ファイル及び前記管理用情報を記録し、
前記ファイルが前記拡張ファイルの場合、前記拡張ファイル、対応する前記管理用情報の順となるように、前記拡張ファイル及び前記管理用情報を記録することにより、
前記ファイル及び前記管理用情報の記録フォーマットを切り換える
ことを特徴とする請求項２０に記載の光ディスクの記録方法のプログラム。
【請求項２４】
前記ファイルが動画ファイルの場合、ＤＶＤビデオフォーマットにより記録するように、前記ファイル及び前記管理用情報を設定する
ことを特徴とする請求項２０に記載の光ディスクの記録方法のプログラム。
【請求項２５】
前記拡張ファイルの追加記録により対応する管理用情報を記録する場合、既に記録済の拡張ファイルについての前記管理用情報をまとめて、前記追加記録に係る拡張ファイルに続いて記録し、
前記まとめた管理用情報の記録に対応するように、前記拡張ファイルの案内情報を更新する
ことを特徴とする請求項２０に記載の光ディスクの記録方法のプログラム。
【請求項２６】
前記管理用テーブルに基づいて、
前記光ディスクの管理用情報記録領域のうちの、第１の管理用情報記録領域に、前記光ディスクに記録された全てのファイルについて、前記組による前記管理用情報をまとめて記録し、
前記管理用情報記録領域のうちの、第２の管理用情報記録領域に、前記光ディスクに記録された前記動画ファイルについてのみ、前記組による前記管理用情報をまとめて記録する
ことを特徴とする請求項２０に記載の光ディスクの記録方法のプログラム。
【請求項２７】
前記第１の管理用情報記録領域が、コンピュータによるファイル管理システムに対応する領域であり、
前記第２の管理用情報記録領域が、ＤＶＤビデオフォーマットのファイル管理システムに対応する領域である
ことを特徴とする請求項２６に記載の光ディスクの記録方法のプログラム。
【請求項２８】
光ディスクの内周側領域に記録した管理用テーブルにより、プログラムエリアを管理して、前記プログラムエリアに所望のファイルを記録する光ディスクの記録方法のプログラムを記録した記録媒体であって、
前記光ディスクの記録方法は、
前記ファイルが、前記光ディスク専用の再生装置により再生可能なフォーマットによる動画ファイルの場合、
該ファイルと、該ファイルの管理用情報とを組にして前記プログラムエリアに記録すると共に、該管理用情報の記録位置情報を前記管理用テーブルに記録し、
前記ファイルが、前記光ディスク専用の再生装置により再生可能なフォーマットによる動画ファイル以外の拡張ファイルの場合、
該拡張ファイルと、該拡張ファイルの管理用情報とを組にして前記プログラムエリアに記録すると共に、少なくとも該拡張ファイルの管理用情報の記録位置情報を有する拡張ファイルの案内情報を前記光ディスクに記録し、
前記拡張ファイルの案内情報の記録位置情報を前記管理用テーブルに記録する
ことを特徴とする光ディスクの記録方法のプログラムを記録した記録媒体。
【請求項２９】
前記拡張ファイルの案内情報の記録位置が、
前記光ディスクの最初のファイルの記録開始位置の内周側領域である
ことを特徴とする請求項２８に記載の光ディスクの記録方法のプログラムを記録した記録媒体。
【請求項３０】
前記拡張ファイルの案内情報の記録位置が、
前記光ディスクに記録された最後の前記拡張ファイルに続く領域である
ことを特徴とする請求項２８に記載の光ディスクの記録方法のプログラムを記録した記録媒体。
【発明の詳細な説明】
【０００１】
【発明の属する技術分野】
本発明は、光ディスク装置、光ディスクの記録方法、光ディスクの記録方法のプログラム及び光ディスクの記録方法のプログラムを記録した記録媒体に関し、例えばＤＶＤ（Digital Versatile Disk）装置に適用することができる。本発明は、光ディスクの固定した領域に記録した管理用テーブルにより管理用情報の記録位置を特定できるようにして、ファイルと組にして記録する管理用情報のフォーマットをファイルの属性により切り換えることにより、例えば動画以外の静止画等のファイルについても記録することができるようにして、情報記録面を有効利用し、高速度でサーチすることができるようにする。
【０００２】
【従来の技術】
従来、大容量の光ディスクであるＤＶＤにおいて、書き込み可能な光ディスクは、１回のみ書き込み可能なＤＶＤ−Ｒ（ＤＶＤ−Recordable）、追記可能なＤＶＤ−ＲＷ（ＤＶＤ−Rewritanle）、ＤＶＤ−ＲＡＭ（ＤＶＤ−Random Access Memory）が提供されるようになされている。これらの光ディスクのうち、ＤＶＤ−Ｒ、ＤＶＤ−ＲＷは、ＤＶＤビデオフォーマットに準拠したフォーマットでビデオデータを記録することにより、再生専用のＤＶＤプレイヤー、コンピュータでも再生できるようになされている。
【０００３】
図１１は、このＤＶＤビデオフォーマットによる光ディスクの論理フォーマットを示す図表である。このフォーマットによる光ディスクは、情報記録面が、先頭側である最内側よりリードイン（Lead in ）、データゾーン（Data Zone ）、リードアウト（Lead out）に区切られ（図１１（Ａ））、データゾーンに所望のビデオデータ等が記録される。
【０００４】
ここでデータゾーンは、リードイン側より、ＵＤＦ（Universal Disk Format ）領域（ファイルシステムエリア）Ａ１、ＶＭＧ（Video Manager ）領域（ＤＶＤ管理用情報エリア）Ａ２、リアルタイムデータ記録エリアＡ３に区分される。ＵＤＦ領域及びＶＭＧ領域は、この光ディスクに記録されたビデオデータによるファイルを管理する管理用情報記録領域である。これらのＵＤＦ領域及びＶＭＧ領域のうち、ＶＭＧ領域は、ＤＶＤプレイヤーに対応する領域であり、リアルタイムデータ記録エリアＡ３に記録されたビデオデータ全体を管理する管理用情報であるＴＯＣの情報が記録される。これに対してＵＤＦ領域Ａ１は、コンピュータによるファイル管理システムに対応する領域であり、コンピュータにおけるファイルシステムとの互換を図るフォーマットによりリアルタイムデータ記録エリアＡ３に記録したビデオデータ全体を管理する管理用情報が記録される。
【０００５】
リアルタイムデータ記録エリアＡ３は、実データを記録するプログラムエリアであり、ＶＴＳ（Video Title Set ）（以下、適宜、タイトルと呼ぶ）を単位にして、ビデオデータが記録される（図１１（Ｂ））。なおここでＶＴＳは、最大で９９個まで設けることができるようになされている。ここでＶＴＳは、先頭側より、ＶＴＳＩ（Video Title Set Information ）、ＶＴＳＭ  ＶＯＢＳ（Video Object Set for the VTSM ）、ＶＴＳＴＴ  ＶＯＢＳ(Video Object SetFor Titl es in a VTS)  、ＶＴＳＩ  ＢＵＰ（Backup of VTSI）により構成される（図１１（Ｃ））。ＶＴＳＴＴ  ＶＯＢＳには、実データであるＭＰＥＧ（Moving Picture Experts Group）２のフォーマットによるビデオデータが記録され、ＶＴＳＩには、この実データによるビデオデータを管理する管理用情報である記録位置情報等が、ＶＴＳＭ  ＶＯＢＳには、ビデオデータのタイトルメニューが記録される。なおＶＴＳＭ  ＶＯＢＳは、オプションである。ＶＴＳＩ  ＢＵＰは、ＶＴＳＩのバックアップである。
【０００６】
これらによりこの種の光ディスクにおいては、コンピュータによりアクセスする場合は、ＵＤＦにより所望するファイルを検索して再生することができるようになされ、ＤＶＤプレイヤーによりアクセスする場合には、ＶＭＧにより所望するファイルを検索して再生することができるようになされている。これによりＵＤＦは、コンピュータのファイル管理システムに対応して光ディスクに記録されたビデオデータの管理用情報を構成するのに対し、ＶＭＧは、ＤＶＤプレイヤーに対応して光ディスクに記録されたビデオデータの管理用情報を構成するようになされている。
【０００７】
このような光ディスクにビデオデータを書き込む方式としては、Incremental Recording 方式（以下、ＩＮＣ方式と呼ぶ）、Restricted Over Write 方式（以下、ＲＯＷ方式と呼ぶ）が使用されるようになされている。ここでＩＮＣ方式は、シーケンシャルにビデオデータを記録する方式であり、ＲＯＷ方式は、上書き可能な光ディスクに適用される方式である。但し、ＲＯＷ方式においても、未記録領域にデータを記録する場合には、シーケンシャルにビデオデータを記録する。これらＩＮＣ方式及びＲＯＷ方式においては、リードインの内周側に設けられたＲＭＡ（Recording Management Area ）により、後述するパディング等による領域が管理されるようになされている。
【０００８】
図１２は、ＲＯＷ方式による記録手順を示す図表である。ＲＯＷ方式においては、リードイン、ＵＤＦ、ＶＭＧ、先頭タイトルのＶＴＳＩ、ＶＴＳＭ  ＶＯＢＳの記録領域をパディングにより事前に確保する（図１２（Ａ））。ここでパディングは、ＮＵＬＬ等のダミーデータを記録して領域を確保する処理である。
【０００９】
このようにしてこれらの領域を確保すると、ＲＯＷ方式においては、順次ビデオデータを記録することにより、実データによるＶＴＳＴＴ  ＶＯＢＳを形成し（図１２（Ｂ））、１つのタイトルについて実データの記録が完了すると、続いてＶＴＳＩ  ＢＵＰを記録し、さらに続くタイトルのＶＴＳＩ、ＶＴＳＭ  ＶＯＢＳの記録領域の確保のために、パディングの処理を実行する（図１２（Ｂ））。また続いて先頭側に戻ってこの実データの記録に対応するＶＴＳＩ、ＶＴＳＭＶＯＢＳを形成する（図１２（Ｃ））。これによりＲＯＷ方式においては、１つのＶＴＳを光ディスクに記録する。
【００１０】
また続けて次のタイトルを記録する場合、ＲＯＷ方式においては、直前のＶＴＳにより形成したパディングの領域に続いて、実データの記録によりＶＴＳＴＴＶＯＢＳ、ＶＴＳＩ  ＢＵＰを形成し、続くタイトルのＶＴＳＩ、ＶＴＳＭＶＯＢＳの領域確保のために、パディングの処理を実行する（図１２（Ｄ））。また続いてＶＴＳＩ、ＶＴＳＭ  ＶＯＢＳを形成し（図１２（Ｅ））、これにより続くＶＴＳを光ディスクに記録する（図１２（Ｆ））。ＲＯＷ方式においては、引き続きタイトルを記録する場合には、同様にパディング等の処理を実行して順次ＶＴＳを記録する。
【００１１】
これに対してこのようにＶＴＳを順次記録してリアルタイムデータ記録エリアが形成されてなる光ディスクについて、ＲＯＷ方式においては、ファイナライズの処理によりＵＤＦ領域、ＶＭＧ領域を形成し、さらにリードイン、リードアウトを形成し（図１２（Ｇ））、これにより再生専用の光ディスクとの互換性が図られる。なおこのＵＤＦ領域、ＶＭＧ領域の形成においては、各タイトルのＶＴＳＩ、ＶＴＳＭ  ＶＯＢＳのデータより、ＵＤＦ、ＶＭＧのデータを生成し、このデータをパディングにより確保した内周側先頭領域に記録することにより実行される。
【００１２】
従来、この種の光ディスク装置においては、特開２００２−６３７６５号公報、特開２００１−１４８１６６号公報、特開２００２−５６６０９号公報に、タイトルの記録等に応じて、光ディスクの内周側に形成した管理用テーブルに対応するＶＴＳＩの先頭アドレスを記録することにより、この管理用テーブルでプログラムエリアを管理して動画ファイルを記録し、これによりファイナライズ前の段階であっても、この管理用テーブルを基準にして、各タイトルをアクセス可能とする方法が提案されるようになされている。
【００１３】
【発明が解決しようとする課題】
ところでこのような光ディスクにおいては、磁気テープに代えて、携帯型のビデオレコーダに適用することが考えられる。この場合、従来の携帯型のビデオレコーダにおいては、動画だけでなく、静止画についても記録することができるものがあることにより、この種の光ディスクにおいても、動画以外の静止画等について、記録できることが望まれる。
【００１４】
因みに、上述したフォーマットにおいては、この種のファイルの記録については何ら考慮されておらず、これにより結局、静止画等にあっては、メモリに保持し、別の記録媒体に別途記録することが必要になる。
【００１５】
またこのような各種ファイルの記録においては、情報記録面を有効に利用し、かつ高速にサーチできることが望まれる。
【００１６】
本発明は以上の点を考慮してなされたもので、動画以外の静止画等のファイルについても記録することができるようにして、情報記録面を有効利用し、高速度でサーチすることができる光ディスク装置、光ディスクの記録方法、光ディスクの記録方法のプログラム及び光ディスクの記録方法のプログラムを記録した記録媒体を提案しようとするものである。
【００１７】
【課題を解決するための手段】
かかる課題を解決するため請求項１の発明においては、光ディスク装置に適用して、光ディスク専用の再生装置により再生可能なフォーマットによる動画ファイルの場合、該ファイルと、該ファイルの管理用情報とを組にしてプログラムエリアに記録すると共に、該管理用情報の記録位置情報を管理用テーブルに記録し、光ディスク専用の再生装置により再生可能なフォーマットによる動画ファイル以外の拡張ファイルの場合、動画ファイルの場合とは、記録フォーマットを切り換えて、該拡張ファイルと、該拡張ファイルの管理用情報とを組にしてプログラムエリアに記録し、少なくとも該拡張ファイルの管理用情報の記録位置情報を有する拡張ファイルの案内情報を光ディスクに記録し、拡張ファイルの案内情報の記録位置情報を管理用テーブルに記録する。
【００１８】
また請求項１１の発明においては、光ディスクの記録方法に適用して、光ディスク専用の再生装置により再生可能なフォーマットによる動画ファイルの場合、該ファイルと、該ファイルの管理用情報とを組にしてプログラムエリアに記録すると共に、該管理用情報の記録位置情報を管理用テーブルに記録し、光ディスク専用の再生装置により再生可能なフォーマットによる動画ファイル以外の拡張ファイルの場合、動画ファイルの場合とは、記録フォーマットを切り換えて、該拡張ファイルと、該拡張ファイルの管理用情報とを組にしてプログラムエリアに記録し、少なくとも該拡張ファイルの管理用情報の記録位置情報を有する拡張ファイルの案内情報を光ディスクに記録し、拡張ファイルの案内情報の記録位置情報を管理用テーブルに記録する。
【００１９】
また請求項２０の発明においては、光ディスクの記録方法のプログラムに適用して、光ディスク専用の再生装置により再生可能なフォーマットによる動画ファイルの場合、該ファイルと、該ファイルの管理用情報とを組にしてプログラムエリアに記録すると共に、該管理用情報の記録位置情報を管理用テーブルに記録し、光ディスク専用の再生装置により再生可能なフォーマットによる動画ファイル以外の拡張ファイルの場合、動画ファイルの場合とは、記録フォーマットを切り換えて、該拡張ファイルと、該拡張ファイルの管理用情報とを組にしてプログラムエリアに記録し、少なくとも該拡張ファイルの管理用情報の記録位置情報を有する拡張ファイルの案内情報を光ディスクに記録し、拡張ファイルの案内情報の記録位置情報を管理用テーブルに記録する。
【００２０】
また請求項２８の発明においては、光ディスクの記録方法のプログラムを記録した記録媒体に適用して、光ディスク専用の再生装置により再生可能なフォーマットによる動画ファイルの場合、該ファイルと、該ファイルの管理用情報とを組にしてプログラムエリアに記録すると共に、該管理用情報の記録位置情報を管理用テーブルに記録し、光ディスク専用の再生装置により再生可能なフォーマットによる動画ファイル以外の拡張ファイルの場合、動画ファイルの場合とは、記録フォーマットを切り換えて、該拡張ファイルと、該拡張ファイルの管理用情報とを組にしてプログラムエリアに記録し、少なくとも該拡張ファイルの管理用情報の記録位置情報を有する拡張ファイルの案内情報を光ディスクに記録し、拡張ファイルの案内情報の記録位置情報を管理用テーブルに記録する。
【００２１】
請求項１の構成によれば、例えばＤＶＤビデオフォーマットである光ディスク専用の再生装置により再生可能なフォーマットによる動画ファイルの場合、該ファイルと、該ファイルの管理用情報とを組にしてプログラムエリアに記録すると共に、該管理用情報の記録位置情報を管理用テーブルに記録し、静止画ファイル等の、光ディスク専用の再生装置により再生可能なフォーマットによる動画ファイル以外の拡張ファイルの場合、動画ファイルの場合とは、記録フォーマットを切り換えて、該拡張ファイルと、該拡張ファイルの管理用情報とを組にしてプログラムエリアに記録し、少なくとも該拡張ファイルの管理用情報の記録位置情報を有する拡張ファイルの案内情報を光ディスクに記録し、拡張ファイルの案内情報の記録位置情報を管理用テーブルに記録することにより、動画ファイルの管理用テーブルを有効に利用して、拡張ファイルと共に記録した管理用情報をアクセスすることができる。これにより情報記録面を有効に利用して、高速度に拡張ファイルをアクセス可能に記録することができる。また動画ファイルと拡張ファイルとでファイル及び管理用情報の記録フォーマットを切り換えることにより、例えば動画のファイルについては、ＤＶＤビデオフォーマットにより記録し、動画以外の静止画等のファイルについては、ＤＶＤビデオフォーマットによる再生には何ら影響を与えないようにして、この静止画等のファイルを再生可能に記録することができる。これにより動画以外の静止画等のファイルについても記録することができる。
【００２２】
これにより請求項１１、請求項２０、請求項２８の構成によれば、動画以外の静止画等のファイルについても記録することができるようにして、情報記録面を有効利用し、高速度でサーチすることができる光ディスクの記録方法、光ディスクの記録方法のプログラム及び光ディスクの記録方法のプログラムを記録した記録媒体を提供することができる。
【００２３】
【発明の実施の形態】
以下、適宜図面を参照しながら本発明の実施の形態を詳述する。
【００２４】
（１）第１の実施の形態
（１−１）第１の実施の形態の構成
図２は、本発明の第１の実施の形態に係る光ディスク装置を示すブロック図である。この光ディスク装置１は、携帯型のビデオレコーダであり、ＤＶＤである光ディスク２に撮像結果を記録できるようになされている。
【００２５】
すなわちこの光ディスク装置１において、映像入力部３は、図示しない撮像手段より得られる撮像結果である映像信号、外部機器から入力される映像信号をアナログディジタル変換処理し、ビデオデータを出力する。なおここでこの内蔵の撮像手段は、マイコン４による制御により、動画による撮像結果、静止画による撮像結果を出力するようになされ、これによりこの映像入力部３においては、マイコン４による撮像手段の制御に応動して、動画、静止画によるビデオデータを選択的に出力するようになされている。
【００２６】
オーディオ入力部５は、マイクで取得される音声信号、外部入力による音声信号をアナログディジタル変換処理し、オーディオデータを出力する。
【００２７】
圧縮／伸長処理部６は、マイコン４の制御により、動作を切り換え、記録再生に供するデータを処理する。すなわち圧縮／伸長処理部６は、映像入力部３、オーディオ入力部５から入力されるビデオデータ、オーディオデータの記録時、ランダムアクセスメモリ（ＲＡＭ）９を用いて、これらビデオデータ及びオーディオデータをデータ圧縮して多重化処理し、ヘッダー情報処理部７に出力する。またこれとは逆に、再生時、同様にランダムアクセスメモリ９を用いて、ヘッダー情報処理部７より得られるデータをビデオデータ及びオーディオデータに分離した後、それぞれデータ伸長して出力する。
【００２８】
すなわち圧縮／伸長処理部６において、ビデオ処理部８は、マイコン４の制御により、記録時、映像入力部３から出力されるビデオデータをデータ圧縮して出力する。このときこのビデオデータが動画によるビデオデータの場合、ＭＰＥＧ２のフォーマットによりデータ圧縮するのに対し、このビデオデータが静止画によるビデオデータの場合、ＪＰＥＧ（Joint Photographic Coding Experts Group ）のフォーマットによりデータ圧縮する。またビデオ処理部８は、再生時、多重化処理部１０から出力されるビデオデータを、このビデオデータのデータ圧縮フォーマットに対応してデータ伸長して出力する。
【００２９】
オーディオ処理部１１は、記録時、オーディオ入力部５から出力されるオーディオデータをＭＰＥＧ、ドルビーオーディオ、またはリニアＰＣＭ等のフォーマットによりデータ圧縮して出力する。またこれとは逆に、再生時、多重化処理部１０から得られるオーディオデータをデータ伸長して出力する。
【００３０】
多重化処理部１０は、記録時、ビデオ処理部８から出力されるビデオデータ、オーディオ処理部１１から出力されるオーディオデータを時分割多重化してヘッダー情報処理部７に出力する。またこれとは逆に、再生時、ヘッダー情報処理部７から出力される時分割多重化データよりビデオデータ及びオーディオデータを分離し、それぞれビデオ処理部８、オーディオ処理部１１に出力する。
【００３１】
モニタ部１２は、映像入力部３から入力されるビデオデータ、オーディオ入力部５から入力されるオーディオデータ、又は圧縮／伸長処理部６から出力されるビデオデータ、オーディオデータをモニタする表示機構、音声処理機構により構成され、これによりこの光ディスク装置１では、撮像結果をモニタし、再生結果をモニタできるようになされている。
【００３２】
ビデオ／オーディオエンコーダ１３は、オーディオ入力部５から入力されるビデオデータ及びオーディオデータ、又は圧縮／伸長処理部６から出力されるビデオデータ及びオーディオデータを所定フォーマットによりデータ圧縮して外部機器に出力する。これによりこの光ディスク装置１では、撮像結果、再生結果を外部機器でモニタできるようになされている。
【００３３】
ヘッダー情報処理部７は、記録時、圧縮／伸長処理部６から出力される時分割多重化データを受け、マイコン４の制御により、ＤＶＤに固有のヘッダー情報、後述する拡張ファイルのヘッダー情報等を付加して出力する。またマイコン４から情報により、ＵＤＦ、ＶＭＧ、ＶＴＳＩ等のデータを生成してＤＶＤ信号処理部１４に出力する。また再生時等において、ＤＶＤ信号処理部１４の出力データから、記録時に付加したヘッダー情報を分離して圧縮／伸長処理部６に出力する。またこの分離したヘッダー情報をマイコン４に通知する。なおここで拡張ファイルとは、この光ディスク２について規格化されたフォーマットであるＤＶＤビデオフォーマットで定義されていないファイルであり、この実施の形態ではこの拡張ファイルに静止画のファイルが適用されるようになされている。
【００３４】
ＤＶＤ信号処理部１４は、記録時、ランダムアクセスメモリ１５を用いて、ヘッダー情報処理部７の出力データよりエラー訂正符号を生成し、このエラー訂正符号をこの出力データに付加する。またスクランブル処理、８／１６変調等の処理を実行し、その処理結果によるデータ列をシリアルデータ列によりアナログフロントエンド部１６に出力する。
【００３５】
これに対して再生時、ＤＶＤ信号処理部１４は、記録時とは逆に、アナログフロントエンド部１６の出力データを復号処理、デスクランブル処理、エラー訂正処理し、処理結果をヘッダー情報処理部７に出力する。またＤＶＤ信号処理部１４は、マイコン４から出力されるスピンドル制御用、トラッキング制御用、フォーカス制御用、スレッド制御用の各種駆動情報をディジタルアナログ変換処理してこれらの駆動信号を生成し、これら駆動信号をモーターアンプ部１８に出力する。
【００３６】
アナログフロントエンド部１６は、光学ヘッド１９から光ディスク２に照射するレーザービームについて、光量制御信号を生成して出力する。アナログフロントエンド部１６は、再生時、この光量制御信号により光学ヘッド１９から光ディスク２に照射するレーザービームの光量を再生用の一定光量に保持するのに対し、記録時、ＤＶＤ信号処理部１４からの出力データに応じてこの光量制御信号の信号レベルを変化させ、これによりこのＤＶＤ信号処理部１４からの出力データに応じてレーザービームの光量を再生時の光量から記録の光量に間欠的に立ち上げる。
【００３７】
またアナログフロントエンド部１６は、光学ヘッド１９から得られる戻り光の受光結果を増幅して演算処理することにより、光ディスク２に形成されたピット列に対応して信号レベルが変化する再生信号を生成し、この再生信号の信号処理によりこの再生信号の２値識別結果である再生データをＤＶＤ信号処理部１４に出力する。またこの演算処理により、トラッキングエラー量、フォーカスエラー量に応じて信号レベルが変化するトラッキングエラー信号、フォーカスエラー信号等を生成し、これらの信号をディジタル信号によりマイコン４に出力する。
【００３８】
モーターアンプ部１８は、ＤＶＤ信号処理部１４から出力される各種駆動信号により、それぞれ対応する機構を駆動する。すなわちモーターアンプ部１８は、これらの駆動信号のうち、スピンドル制御用の駆動信号、スレッド制御用の駆動信号によりスピンドルモータ２０、スレッドモータ２１を回転駆動する。またトラッキング制御用の駆動信号、フォーカス制御用の駆動信号により光学ヘッド１９に搭載のアクチュエータを駆動する。
【００３９】
スピンドルモータ２０は、光ディスク２をチャッキングして所定の回転速度により回転駆動する。スレッドモータ２１は、光学ヘッド１９を光ディスク２の半径方向に可動させる。
【００４０】
光学ヘッド１９は、アナログフロントエンド部１６から出力される光量制御信号により内蔵の半導体レーザーからレーザービームを出射し、対物レンズを介してこのレーザービームを光ディスク２の情報記録面に集光する。またこのレーザービームの照射により光ディスク２から得られる戻り光をこの対物レンズを介して所定の受光素子に導き、この受光素子の受光結果をアナログフロントエンド部１６に出力する。光学ヘッド１９は、この対物レンズがトラッキング制御用の駆動信号、フォーカス制御用の駆動信号により駆動されるアクチュエータにより可動するようになされ、これによりトラッキング制御、フォーカス制御できるようになされている。またレーザービームの光量が光量制御信号により間欠的に立ち上げられ、これにより光ディスク２の情報記録面を局所的に温度上昇させて所望のデータを記録するようになされている。
【００４１】
マイコン４は、この光ディスク装置１全体の動作を制御するコンピュータであり、この光ディスク装置１に事前にインストールされた処理プログラムを実行することにより図示しない操作部を介して得られるユーザーの操作により、さらにはアナログフロントエンド部１６で検出される各種信号等により、各部の動作を制御する。すなわちマイコン４は、アナログフロントエンド部１６で検出されるトラッキングエラー信号、フォーカスエラー信号により、トラッキング制御用、フォーカス制御用の駆動情報を生成し、ＤＶＤ信号処理部１４でアナログ信号に変換してモーターアンプ部１８に出力し、これによりトラッキング制御、フォーカス制御の処理を実行する。またヘッダー情報処理部７で検出されるヘッダー情報等によりレーザービーム照射位置を検出し、この検出結果よりスレッド制御用の駆動情報を生成してＤＶＤ信号処理部１４に出力し、これによりシーク等の処理を実行する。また同様にしてスピンドル制御の処理を実行する。
【００４２】
またこれらの光ディスク２に関する処理を前提として、電源の立ち上げにより図３に示す処理手順を実行する。すなわちマイコン４は、電源が立ち上げられると、ステップＳＰ１からステップＳＰ２に移り、図示しない光ディスク２の検出機構による検出結果より光ディスク２の有無を判断する。ここで否定結果が得られると、マイコン４は、ステップＳＰ２を繰り返す。これに対して光ディスク２が装填された状態で電源が立ち上げられた場合、さらには電源を立ち上げた後、光ディスク２が装填されると、ステップＳＰ２で肯定結果が得られることにより、ステップＳＰ２からステップＳＰ３に移る。なおマイコン４は、このステップＳＰ２の繰り返しにおいて、電源が立ち下げられると、ステップＳＰ４に直接移ってこの処理手順を終了する。
【００４３】
ステップＳＰ３において、マイコン４は、スレッドモータ２１を駆動して光学ヘッド１９を光ディスク２の最内周に移動させ、この最内周側の再生結果をＤＶＤ信号処理部１４から取得することにより、ファイナライズ処理されている光ディスク２については、ＶＭＧのデータを取得する。これに対して光ディスク２が未だファイナライズ処理されていない場合には、ＲＭＡの情報を取得する。またこのＲＭＡの情報により、光ディスク２のリアルタイムデータ記録エリアに既にデータが記録されていると判断される場合には、光ディスク２をサーチして各ＶＴＳのＶＴＳＩ、ＶＴＳＴＴ  ＶＯＢＳのデータを取得する。これによりマイコン４は、通常のＤＶＤを記録再生する光ディスク装置と同様に、光ディスク２の記録再生に必要な光ディスク２の管理用情報を取得するようになされている。
【００４４】
この処理において、マイコン４は、ＶＭＧのデータに加えて、ＵＤＦのデータも併せて取得する。またリアルタイムデータ記録エリアの再生において、後述する中間管理情報が記録されている場合には、この中間管理情報も併せて取得する。これによりマイコン４は、ＤＶＤ−ビデオフォーマットで定義されていない拡張ファイルに関しても光ディスク２より再生可能に、この拡張ファイルの管理用情報についても併せて取得するようになされている。マイコン４は、このようにして取得した一連の管理用情報を内蔵のメモリに記録して保持する。
【００４５】
続いてマイコン４は、ステップＳＰ５に移り、光ディスク２の排出が指示されたか否か判断し、ここで肯定結果が得られると、光ディスク２の排出を図示しないローディング機構に指示した後、ステップＳＰ２に戻る。
【００４６】
これに対してユーザーより光ディスク２の排出以外の指示が得られると、ステップＳＰ５からステップＳＰ６に移り、このユーザーによる操作が記録を指示する操作か（ＲＥＣにより示す）、再生を指示する操作か（ＰＢにより示す）、電源の立ち下げを指示する操作が（Ｐｏｗｅｒ  ＯＦＦにより示す）か判断する。ここでユーザーによる操作が再生を指示する操作の場合、マイコン４は、ステップＳＰ６からステップＳＰ７に移り、光ディスク２に記録されたファイルを再生する再生処理手順を実行してステップＳＰ５に戻る。
【００４７】
これに対してユーザーによる操作が記録を指示する操作の場合、マイコン４は、ステップＳＰ６からステップＳＰ８に移り、光ディスク２に動画又は静止画を記録する記録処理手順を実行してステップＳＰ５に戻る。なおマイコン４は、光ディスク２がいわゆるファイナライズ処理されてＵＤＦ、ＶＭＧが形成されている場合、光ディスク２がデータを記録できないように処理されていることにより、記録処理手順を省略してステップＳＰ５に戻る。またこのようにファイナライズ処理されている場合でも、光ディスク２が消去可能なＤＶＤ−ＲＷの場合、ユーザーの確認により記録済データを消去して、記録処理手順を実行する。
【００４８】
これに対してユーザーによる操作が電源を立ち下げる操作の場合、マイコン４は、ステップＳＰ６からステップＳＰ９に移り、電源立ち下げの処理を実行し、ステップＳＰ４に移ってこの処理手順を終了する。
【００４９】
マイコン４は、このようにして実行される処理手順のうちの記録処理手順において、光ディスク２がＤＶＤ−Ｒの場合、ＩＮＣ方式により動画、静止画のファイルを記録する。これに対して光ディスク２がＤＶＤ−ＲＷ、ＤＶＤ−ＲＡＭの場合、ＲＯＷ方式により動画、静止画のファイルを記録する。
【００５０】
図４は、何らファイルを記録していないいわゆるバージンディスクの場合を例にとって、ＲＯＷ方式により動画ファイル及び静止画ファイルの記録処理の説明に供する図表である。マイコン４は、光ディスク２より取得してメモリに保持したＲＭＡの情報を更新することにより、パディングの処理を実行し、ＵＤＦ、ＶＭＧの領域を確保する。またユーザーにより動画ファイルの記録が指示された場合には、パディングの処理により、続くタイトルのＶＴＳＩ、ＶＴＳＭ  ＶＯＢＳの領域を確保する（図４（Ａ））。またこれらの処理により、メモリに保持したＲＭＡのデータを更新する。
【００５１】
またユーザーにより記録の開始が指示されると、動画ファイルのデータによる実データを順次記録してＶＴＳＴＴ  ＶＯＢＳを生成した後、記録開始位置のアドレス情報、ファイルサイズ、記録日時等により管理用情報を生成し、この管理用情報を記録してＶＴＳＩ  ＢＵＰを生成する。また続くタイトルの記録のために、パディングによりＶＴＳＩ、ＶＴＳＭ  ＶＯＢＳの領域を確保する（図４（Ｂ））。またＶＴＳＴＴ  ＶＯＢＳの記録開始位置より所定領域分だけ戻った位置より、順次管理用情報を記録し、これによりＶＴＳＩ、ＶＴＳＭ  ＶＯＢＳを形成し、これにより１つのタイトルの記録を完了する（図４（Ｃ））。これらの処理において、マイコン４は、このタイトルの管理用情報をメモリに記録して保持する。
【００５２】
これにより続いて動画を記録する場合、マイコン４は、同様に各部の動作を制御し、これらにより動画ファイルの記録においては、従来と同様のＲＯＷ方式により順次ファイルを記録するようになされている。
【００５３】
これらの処理において、マイコン４は、メモリに保持したＲＭＡのデータを適宜更新し、光ディスク２の排出時、電源の立ち下げ時等において、このメモリに保持したＲＭＡのデータにより光ディスク２のＲＭＡを書き換える。これにより光ディスク装置１においては、メモリの記録が失われた後においても、このＲＭＡの記録を基準にして、ファイナライズ前の光ディスク２をアクセスできるようになされている。
【００５４】
ここでこのマイコン４は、メモリに保持したＲＭＡのデータのうちの、管理用テーブルの更新により、このＲＭＡのデータを適宜更新し、またこの管理テーブルにより光ディスク２のＲＭＡを更新することにより、これらの処理を実行する。なおこの管理用テーブルを図４においては、符号ＴＶにより示す。
【００５５】
ここでこの管理用テーブルＴＶは、光ディスク２のプログラムエリアを管理するテーブルであり、プログラムエリアに記録したＶＴＳの先頭アドレス、末尾のアドレスを記録できるようになされており、ファイナライズの処理により作成されるリードインエリアの内周側、再生専用の光ディスク装置（ＤＶＤプレイヤー）ではアクセスしない領域が割り当てられるようになされている。
【００５６】
これによりマイコン４は、光ディスク２へのＶＴＳの記録により、メモリに保持したこの管理用テーブルＴＶに対応する先頭アドレス、末尾のアドレスを記録し、空き時間において、さらには光ディスク２の排出時等において、このメモリに保持した管理用テーブルＴＶにより光ディスク２の管理用テーブルＴＶを更新するようになされている。
【００５７】
これに対してユーザーが静止画の記録を指示した場合、マイコン４は、パディングにより確保した領域の先頭位置に実データの記録開始位置を設定する。またマイコン４は、ユーザーによる記録開始の指示により、拡張ファイルである静止画のファイル（図４においては、符号ＥＦにより示す）を順次記録する（図４（Ｄ））。またこの静止画ファイルＥＦの記録に対応するように、ファイナライズまでの間、一時的に静止画を管理する管理用情報である中間管理情報を順次作成して内蔵のメモリに保持する。
【００５８】
さらに所望するファイル数だけ静止画ファイルを記録してユーザーにより静止画ファイルの記録の終了が指示されると、メモリに保持した中間管理情報を光ディスク２への記録のフォーマットに変換し、この中間管理情報を記録し、続くタイトルの記録のために、パディングによりＶＴＳＩ、ＶＴＳＭ  ＶＯＢＳの領域を確保する（図４（Ｄ））。これによりマイコン４は、連続して記録する拡張ファイルについては、まとめて管理用情報を作成するようになされている。また動画ファイルについては、管理用情報、動画ファイル、管理用情報の順序で、管理用情報と対応するファイルとを組にして記録するのに対し、拡張ファイルについては、拡張ファイル、中間管理用情報の順序で記録することにより、さらには複数ファイルでまとめて中間管理用情報を記録することにより、ファイルの属性に応じて、記録フォーマットを切り換えるようになされている。
【００５９】
かくするにつきマイコン４は、続いて動画ファイルを記録する場合には、パディングにより確保した領域に続いて、実データによりＶＴＳＴＴ  ＶＯＢＳ、ＶＴＳＩ  ＢＵＰを記録した後、パディングにより続く領域を確保し、先頭側に戻ってＶＴＳＩ、ＶＴＳＭ  ＶＯＢＳを記録して１つのタイトルを記録するようになされている（図４（Ｅ）〜（Ｇ））。また静止画ファイルを記録する場合には、同様に、パディングの先頭に戻って、順次記録して管理用データを記録した後、パディングにより領域を確保するようになされている。またユーザーによるファィナライズの指示により、このような管理用情報によりＵＤＦ、ＶＭＧ、リードイン、リードアウトを作成するようになされている（図４（Ｈ））。
【００６０】
マイコン４は、これら動画ファイルによりタイトルの記録に対応して、上述したように、管理用テーブルＴＶを更新する。これに対して拡張ファイルについては、中間管理用情報ＤＫを光ディスク２に記録する毎に、拡張ファイルの案内情報を作成し、この拡張ファイルの案内情報により光ディスク２の内周側、固定した領域に記録した拡張ファイルの案内情報ＴＥを更新する。なおここで固定した領域とは、この拡張ファイルの案内情報ＴＥが一定の箇所に記録される意味であり、この実施の形態では、最初にパディングにより確保する領域のうちで、ＵＤＦ、ＶＭＧが割り当てられない隙間の領域が割り当てられる。さらに管理テーブルＴＶにこの拡張ファイルの案内情報ＴＥの先頭アドレス、末尾のアドレスを記録する。
【００６１】
なおマイコン４は、これらの処理においては、実際上、メモリの内部で実行し、光ディスク２への書き込み、更新については、光ディスク２の排出時、電源立ち下げ時、空き時間等に実行する。また拡張ファイルの案内情報ＴＥの先頭アドレスの管理テーブルＴＶへの記録においては、拡張ファイルの案内情報ＴＥが固定した領域に記録されることにより、最初の中間管理用情報ＤＫの記録時の１回のみ実行される。
【００６２】
これにより光ディスク装置１では、管理テーブルＴＶの記録により、この拡張ファイルの案内情報ＴＥを検出し、この拡張ファイルの案内情報ＴＥより各拡張ファイルを検索できるようになされ、光ディスク２の情報記録面の全てをスキャンしなくても、所望する拡張ファイルを高速度でサーチできるようになされている。また動画ファイル用である管理テーブルＴＶの記録によりこの拡張ファイルの案内情報ＴＥを検出できるようにして、情報記録面の有効利用を図るようになされている。
【００６３】
ここで中間管理用情報ＤＫは、拡張ファイルの再生に必要な管理用情報であり、拡張ファイルの属性を示す拡張子による属性情報、記録位置を示すアドレス情報、ファイルサイズの情報、光ディスク２に記録した時間情報等により構成される。図１に示すように、中間管理用情報ＤＫは、連続して記録された拡張ファイルＥＦ１〜ＥＦ３でまとめられて、先頭に、管理情報ＣＩが記録される。ここで管理情報ＣＩは、続く個別情報ＥＸＦ１〜ＥＸＦ３により管理するファイルのカテゴリを示す識別情報、ディレクトリの情報等が記録されるようになされ、これによりコンピュータにおけるファイル管理システムと互換性を維持できるようになされている。
【００６４】
これに対して個別情報ＥＸは、対応するファイルのファイル名、記録開始位置のアドレス等により形成される。拡張ファイルの案内情報ＴＥは、識別コード、中間管理用情報ＤＫの記録開始位置である管理情報ＣＩの記録開始位置を示すポインタによるアドレス等が記録されるようになされている。
【００６５】
これによりマイコン４は、図１（Ａ）に示すように、動画ファイルによるタイトル（ＶＴＳ♯１）を記録すると、上述したように、このタイトル（ＶＴＳ♯１）の記録に対応するように管理テーブルＴＶにタイトルの先頭アドレス、末尾のアドレスを記録する。この状態でＪＰＥＧにより３枚の静止画ファイルＥＦ１〜ＥＦ３を記録すると、これら静止画ファイルＥＦ１〜ＥＦ３に係る管理情報ＣＩ、個別情報ＥＸＦ１〜ＥＸＦ３を記録して中間管理用情報ＤＫを記録する。また拡張ファイルの案内情報ＴＥを記録し、またこの記録に対応するように管理テーブルＴＶを更新する。なおこれらの処理について、マイコン４は、メモリに保持した対応する情報の更新等により実行し、光ディスク２の排出時等において、実際に光ディスク２の記録を更新する。因みに、以下においても、同様である。
【００６６】
この状態で例えば、２番目に記録した静止画ファイルＥＦ２の削除が指示されると、図１（Ｂ）に示すように、管理テーブルＴＶの記録より拡張ファイルの案内情報ＴＥを検出し、この案内情報ＴＥより、対応する中間管理用情報ＤＫの記録位置を検出する。この記録位置の検出によりマイコン４は、個別情報ＥＸＦ２の実際の削除により、又は個別情報ＥＸＦ２が何ら意味の無い情報であることを示すフラグを個別情報ＥＸＦ２に設定すること等により、静止画ファイルＥＦ２は光ディスク２に記録したまま、個別情報ＥＸＦ２の変更により、この静止画ファイルＥＦ２の記録領域を未記録領域に設定する。なおこの場合、マイコン４は、この中間管理用情報ＤＫの更新においては、中間管理用情報ＤＫ全体を上書きにより更新する。
【００６７】
これに対して続いて静止画ファイルの記録が指示されると、先に削除した静止画ファイルＥＦ２の記録領域が未記録領域の先頭領域である場合、マイコン４は、図１（Ｃ）に示すように、同様に、管理テーブルＴＶの記録より拡張ファイルの案内情報ＴＥを検出し、この案内情報ＴＥより、対応する中間管理用情報ＤＫの記録位置を検出し、さらにこの中間管理用情報ＤＫの個別情報ＥＸＦ２２の記録より、未記録領域に設定された領域のアドレスを検出する。マイコン４は、これによりこの領域に、指示に係る静止画ファイルＥＦ２２を記録し、また静止画ファイルＥＦ１、ＥＦ２２、ＥＦ３に係る管理情報ＣＩ、個別情報ＥＸＦ１、ＥＸＦ２２、ＥＸＦ３を上書きして中間管理用情報ＤＫの記録を更新する。さらにこの静止画ファイルＥＦ２２の削除が指示された場合、図１（Ｂ）について説明したと同様にして静止画ファイルＥＦ２２の記録領域を未記録領域に設定する。
【００６８】
このようにして中間管理用情報ＤＫを記録するにつき、マイコン４は、図５に示すように、拡張ファイルの追加記録により、改めて中間管理用情報ＤＫを記録する場合、それまで既に光ディスク２に記録されている拡張ファイルについての中間管理用情報ＤＫをまとめて中間管理用情報ＤＫ１を生成し、この中間管理用情報ＤＫ１を光ディスク２に記録する。またこの中間管理用情報ＤＫ１の記録に対応するように拡張ファイルの案内情報ＴＥを更新する。
【００６９】
すなわち図５（Ａ）は、図１（Ａ）について上述した状態より、１つのタイトル（ＶＴＳ♯２）を記録し、その後、静止画ファイルＥＦ４、ＥＦ５、ＥＦ６を記録した場合である。マイコン４は、この場合、メモリに保持した静止画ファイルＥＦ１、ＥＦ２、ＥＦ３の中間管理用情報ＤＫと、これら静止画ファイルＥＦ４、ＥＦ５、ＥＦ６の記録位置等の情報より、これら静止画ファイルＥＦ１〜ＥＦ６に係る管理情報ＣＩ、個別情報ＥＸＦ１〜ＥＸＦ６を生成して光ディスク２に記録し、また拡張ファイルの案内情報ＴＥを更新する。
【００７０】
これによりマイコン４は、既に記録済の静止画ファイルＥＦ１、ＥＦ２、ＥＦ３については、この新たに記録した中間管理用情報ＤＫ１の対応する個別情報ＥＸＦ１〜ＥＸＦ３によりアクセスするように、光ディスク２の記録を更新する。また図５（Ｂ）に示すように、新たに記録した静止画ファイルＥＦ４〜ＥＦ６の更新、削除、既に記録済の静止画ファイルＥＦ１〜ＥＦ３の更新、削除についても、この新たに記録した中間管理用情報ＤＫ１の対応する個別情報ＥＸＦ１〜ＥＸＦ６の処理により実行するようになされている。
【００７１】
かくするにつき、このようにして拡張ファイルを記録してなる光ディスク２をファイナライズするようユーザーにより指示されると、マイコン４においては、管理テーブルを基準にこのようにして作成した全てのタイトルの管理用情報（ＶＴＳＩ、ＶＴＳＴＴ  ＶＯＢＳ）、全ての拡張ファイルの中間管理情報からＵＤＦのデータを作成して光ディスク２に記録する（図１（Ｄ））。また全てのタイトルの管理用情報（ＶＴＳＩ、ＶＴＳＴＴ  ＶＯＢＳ）のみからＶＭＧのデータを生成して光ディスク２に記録する。なおこれらＵＤＦ、ＶＭＧのデータの生成においては、メモリに保持した中間管理情報等より作成する。またマイコン４は、このようにしてＵＤＦ、ＶＭＧを記録すると、リードイン、リードアウトを作成する。なおこのようなＵＤＦ、ＶＭＧの記録、リードイン、リードアウトを作成、さらには中間管理情報の記録について、マイコン４は、対応するデータのＤＶＤ信号処理部１４への出力により実行する。
【００７２】
これによりこの実施の形態においては、コンピュータ用の管理用情報であるＵＤＦについては、拡張ファイルについても認識してアクセスできるように、管理用情報を記録するのに対し、ＤＶＤ再生用の管理用情報であるＶＭＧについては、拡張ファイルに係る情報は何ら記録しないようなされている。この処理において、マイコン４は、図６に示すように、コンピュータによるＵＤＦの再生により、ＤＶＤによるタイトルと同一階層である別フォルダーに、拡張ファイルのみを表示するように、ＵＤＦを作成する。また図４について上述した中間管理用情報ＤＫについては、ファイル名、記録位置のアドレス情報等の記述を省略してＵＤＦを作成する。なおタイトルを構成するＶＴＳＩ、ＶＴＳＭ  ＶＯＢＳ等のファイルと同様に、各拡張ファイルをアクセス可能にＵＤＦを作成することは言うまでもない。これによりこの実施の形態においては、コンピュータにより再生する場合、コンピュータにおける光ディスク２の再生で何ら意味の無い一時的な中間管理情報のファイルについては、ユーザーに見せないようにし、その分、使い勝手を向上するようになされている。
【００７３】
これらにより従来のＤＶＤを再生する光ディスク装置においては、ＶＭＧの記録により光ディスク２に記録された動画ファイルのみを再生する。これに対してこの光ディスク装置１において、マイコン４は、図３のステップＳＰ３において、ＵＤＦ、ＶＭＧのデータを取得し、拡張ファイルについては、ＵＤＦにより各ファイルをアクセスするように全体の動作を制御するようになされ、これにより拡張ファイルについても再生できるようになされている。なおこの図６において、Ｒｏｏｔは、ルートディレクトリであり、ＶＩＤＥＯ  ＴＳは、動画のフォルダーであり、ＤＳＣは、拡張ファイルのフォルダーである。またＤＳＣ０００１、ＤＳＣ０００２は、それぞれ拡張ファイルである。
【００７４】
図７は、図３及び図４について上述した記録処理手順を示すフローチャートである。マイコン４は、この記録処理手順を開始すると、ステップＳＰ１１からステップＳＰ１２に移り、ユーザーによる記録の指示が動画の記録に係るものか、静止画の記録に係るものか、ファイナライズの処理に係るものか判断する。
【００７５】
ここでユーザーによる記録の指示が動画の記録に係るものの場合、マイコン４は、ステップＳＰ１２からステップＳＰ１３に移り、ユーザーにより記録の開始が指示されたか否か判断する。ここで否定結果が得られると、マイコン４は、ステップＳＰ１３を繰り返すのに対し、肯定結果が得られると、ステップＳＰ１３からステップＳＰ１４に移り、図３について説明したように、実データを記録する。さらにステップＳＰ１５に移り、ユーザーにより記録の停止が指示されたか否か判断し、ここで否定結果が得られると、ステップＳＰ１４に戻る。これによりマイコン４は、ステップＳＰ１４−ＳＰ１５−ＳＰ１４の処理手順を繰り返し、順次、実データを記録し、ステップＳＰ１５で肯定結果が得られると、実データの記録を終了してＶＴＳＴＴ  ＶＯＢＳの記録を完了する。
【００７６】
続いてマイコン４は、ステップＳＰ１６に移り、ＶＴＳＩ  ＢＵＰ、ＶＴＳＩ、ＶＴＳＭ  ＶＯＢＳを順次形成し、これにより１つのＶＴＳを記録し、ステップＳＰ１７に移ってこの処理手順を終了する。
【００７７】
これに対してユーザーにより指示が静止画の記録の場合、マイコン４は、ステップＳＰ１２からステップＳＰ１８に移り、ユーザーにより記録の開始が指示されたか否か判断する。ここで否定結果が得られると、マイコン４は、ステップＳＰ１８を繰り返すのに対し、肯定結果が得られると、ステップＳＰ１８からステップＳＰ１９に移り、図３及び図４について説明したように、静止画ファイルによる拡張ファイルを記録する。さらにステップＳＰ２０に移り、ユーザーにより記録の停止が指示されたか否か判断し、ここで否定結果が得られると、ステップＳＰ１９に戻る。これによりマイコン４は、ステップＳＰ１９−ＳＰ２０−ＳＰ１９の処理手順を繰り返し、順次、静止画ファイルを記録し、ステップＳＰ２０で肯定結果が得られると、静止画ファイルの記録を終了してステップＳＰ２１に移る。ここでマイコン４は、中間管理情報等を記録し、ステップＳＰ１７に移ってこの処理手順を終了する。
【００７８】
これに対してユーザーにより記録の指示がファイナライズの処理に係るものの記録の場合、マイコン４は、ステップＳＰ１２からステップＳＰ２２に移り、ユーザーにより記録の開始が指示されたか否か判断する。ここで否定結果が得られると、マイコン４は、ステップＳＰ２２を繰り返すのに対し、肯定結果が得られると、ステップＳＰ２２からステップＳＰ２３に移り、図３及び図４について説明したように、ファイナライズの処理を実行した後、ステップＳＰ１７に移ってこの処理手順を終了する。
【００７９】
これに対して図８は、図３について上述した再生処理手順を示すフローチャートである。マイコン４は、この再生処理手順を開始すると、ステップＳＰ３１からステップＳＰ３２に移り、ユーザーによる再生の指示が動画の記録に係るものか、静止画の記録に係るものか判断する。
【００８０】
ここでユーザーによる再生の指示が動画の再生に係るものの場合、マイコン４は、ステップＳＰ３２からステップＳＰ３３に移り、ユーザーにより再生の開始が指示されたか否か判断する。ここで否定結果が得られると、マイコン４は、ステップＳＰ３３を繰り返すのに対し、肯定結果が得られると、ステップＳＰ３３からステップＳＰ３４に移る。ここでマイコン４は、メモリに記録して保持した管理用情報を基準にして、ユーザーにより指示された動画のファイルを再生するように全体の動作を制御する。
【００８１】
すなわち光ディスク２がファイナライズ処理された光ディスクの場合、メモリに保持したＶＭＧのデータにより対応するファイルの記録位置を検出し、この記録位置からの再生を光ディスク装置１の各部に指示する。これに対して光ディスク２がファイナライズ処理されていない光ディスクの場合、メモリに保持した管理用テーブルＴＶの記録、対応するタイトルのＶＴＳＩ、ＶＴＳＴＴ  ＶＯＢＳの記録により対応するファイルの記録位置を検出し、この記録位置からの再生を光ディスク装置１の各部に指示する。
【００８２】
このように再生を指示すると、マイコン４は、続いてステップＳＰ３５に移り、ユーザーにより再生の停止が指示されたか否か判断し、ここで否定結果が得られると、ステップＳＰ３４に戻る。これによりマイコン４は、ステップＳＰ３４−ＳＰ３５−ＳＰ３４の処理手順を繰り返し、順次、ユーザーにより指示された動画のファイルを再生する。これに対してステップＳＰ３５で肯定結果が得られると、再生の動作を終了し、ステップＳＰ３６に移り、この処理手順を終了する。
【００８３】
これに対してユーザーによる再生の指示が拡張ファイルの再生に係るものの場合、マイコン４は、ステップＳＰ３２からステップＳＰ３７に移り、ユーザーにより再生の開始が指示されたか否か判断する。ここで否定結果が得られると、マイコン４は、ステップＳＰ３７を繰り返すのに対し、肯定結果が得られると、ステップＳＰ３７からステップＳＰ３８に移る。
【００８４】
ここでマイコン４は、光ディスク２がファイナライズ処理された光ディスクの場合、メモリに保持したＵＤＦのデータにより対応するファイルの記録位置を検出し、この記録位置からの再生を光ディスク装置１の各部に指示する。これに対して光ディスク２がファイナライズ処理されていない光ディスクの場合、メモリに保持した管理テーブルの記録、案内情報の記録、対応する中間管理情報より対応するファイルの記録位置を検出し、この記録位置からの再生を光ディスク装置１の各部に指示する。
【００８５】
このように再生を指示すると、マイコン４は、続いてステップＳＰ３９に移り、ユーザーにより再生の停止が指示されたか否か判断し、ここで否定結果が得られると、ステップＳＰ３８に戻る。これによりマイコン４は、ステップＳＰ３８−ＳＰ３９−ＳＰ３８の処理手順を繰り返し、順次、ユーザーにより指示された静止画のファイルを再生する。これに対してステップＳＰ３９で肯定結果が得られると、再生の動作を終了し、ステップＳＰ３６に移り、この処理手順を終了する。
【００８６】
これらによりこの実施の形態において、マイコン４は、記録に供するファイルの管理用情報を生成する管理用情報生成手段を構成し、またＤＶＤ信号処理部１４、ランダムアクセスメモリ１５、アナログフロントエンド部１６、モーターアンプ部１８、光学ヘッド１９、スピンドルモータ２０は、ファイルと、ファイルに対応する管理用情報とを組にして光ディスク２のプログラムエリアに記録する記録手段を構成するようになされている。またマイコン４は、この管理用情報生成手段、記録手段の動作を制御する制御手段を構成し、さらには圧縮／伸長処理部６、ヘッダー情報処理部７、ＤＶＤ信号処理部１４、ランダムアクセスメモリ１５、アナログフロントエンド部１６、モーターアンプ部１８、光学ヘッド１９、スピンドルモータ２０と共に、このようにファイルとの組により記録された管理用情報に基づいて、光ディスクに記録された各属性のファイルを再生する再生手段を構成するようになされている。
【００８７】
（１−２）第１の実施の形態の動作
以上の構成において、この光ディスク装置１では（図１）、電源が立ち上げられた状態でユーザーにより光ディスクが装填されると、また光ディスクが装填された状態で電源が立ち上げられると、マイコン４によるＤＶＤ信号処理部１４、モーターアンプ部１８を介したスレッドモータ２１の駆動により、光学ヘッド１９が光ディスク２の内周側に移動する。さらに光学ヘッド１９により光ディスク２にレーザービームを照射し、戻り光の光学ヘッド１９による受光結果がアナログフロントエンド部１６、マイコン４で順次処理され、このマイコン４の処理によるＤＶＤ信号処理部１４、モーターアンプ部１８を介した光学ヘッド１９の制御により、トラッキング制御、フォーカス制御の処理が実行される。また受光結果のＤＶＤ信号処理部１４による処理により、光ディスク２に記録されたデータが再生される。光ディスク装置１では、この一連の処理により、光ディスク２の内周側に記録された各種情報がマイコン４で取得され、マイコン４に内蔵のメモリに保持される。
【００８８】
この光ディスク２がスタンパにより作成された再生専用の光ディスクの場合、さらには光ディスク２が動画ファイルのみを記録したファイナライズ処理されてなる光ディスクの場合、この一連の処理により、マイコン４には、光ディスク２の内周側に記録されたＤＶＤプレイヤー用の管理用情報であるＶＭＧのデータが取得される。これにより光ディスク装置１では、ユーザーにより光ディスク２の再生が指示されると、このＶＭＧのデータに従って、ＤＶＤ信号処理部１４、モーターアンプ部１８を介したスピンドルモータ２０の駆動により、ユーザーの所望するタイトルの記録位置まで光学ヘッド１９がシークし、さらには光学ヘッド１９の受光結果によりトラッキング制御、フォーカス制御した状態で、光学ヘッド１９の受光結果がＤＶＤ信号処理部１４、ヘッダー情報処理部７、圧縮／伸長処理部６で順次処理されて動画によるビデオデータが再生される。すなわち受光結果である光ディスク２のピット列に応じて信号レベルが変化する再生信号がアナログフロントエンド部１６で処理されて再生データが生成され、この再生データがＤＶＤ信号処理部１４で復号、デインターリーブ、誤り訂正処理される。またこの誤り訂正処理された再生データがヘッダー情報処理部７に入力され、ここでヘッダーが除去され、このヘッダーの情報がマイコン４に通知される。また続いて圧縮／伸長処理部６に入力され、多重化処理部１０でビデオデータ及びオーディオデータに分離され、ビデオデータについては、ビデオ処理部８によりＭＰＥＧによるデータ圧縮が解かれ、モニタ部１２により表示され、又はビデオ／エンコーダ１３より外部機器に出力される。これに対してオーディオデータは、オーディオ処理部１１でデータ伸長された後、モニタ部１２によりモニタに供され、又はビデオ／エンコーダ１３より外部機器に出力される。
【００８９】
これに対して光ディスク２が書き換え可能なバージンディスクの場合、光ディスク２の装填時、電源の立ち上げ時における光ディスク２のアクセスにより、光ディスク２のＲＭＡのデータがマイコン４で取得される。光ディスク装置１では、ユーザーにより動画の撮影モードが選択されると、マイコン４において（図１）、メモリに保持したＲＭＡの更新により、さらにはパディングにより、ＵＤＦ、ＶＭＧを形成する領域、ＶＳＴのＶＴＳＩ等を記録する領域が確保される。
【００９０】
この状態でユーザーにより録画の開始が指示されると、映像入力部３、オーディオ入力部５から順次ビデオデータ、オーディオデータが入力され、ビデオデータについてはＭＰＥＧによるビデオ処理部８でデータ圧縮の処理が実行され、オーディオデータについてはオーディオ処理部１１でデータ圧縮の処理が実行される。さらにこれらデータ圧縮されたビデオデータ及びオーディオデータが、多重化処理部１０により多重化処理され、その処理結果のデータにヘッダー情報処理部７によりヘッダーが付加される。さらに続くＤＶＤ信号処理部１４において、誤り訂正符号が付加された後、インターリーブ処理、符号化処理され、この処理結果のデータに従って光学ヘッド１９から光ディスク２に照射するレーザービームの光量がアナログフロントエンド部１６により立ち上げられ、これにより光ディスク２に順次ピット列が形成されて動画によるビデオデータが順次記録される。
【００９１】
光ディスク装置１では、ユーザーにより記録が停止指示されると、圧縮／伸長処理部６等における一連の処理がマイコン４により停止制御されてビデオデータの記録が中止され、続いてこのようにして記録した動画によるファイルの管理用情報が光ディスクに記録される。すなわち光ディスク装置１では、このようにして動画を記録してなる位置情報、ファイルサイズの情報、記録日時等の情報よりマイコン４により管理用情報が生成され、ビデオデータに続いて記録するように、この管理用情報がＤＶＤ信号処理部１４に出力されて光ディスク２に記録され、これによりＶＴＳＩ  ＢＵＰの領域が形成され、続いてパディングにより、続くＶＴＳのＶＴＳＩ、ＶＴＳＭ  ＶＯＢＳを生成する領域が確保され、先に確保したＶＴＳＩ、ＶＴＳＭ  ＶＯＢＳの領域に光学ヘッド１９がシークし、この領域において、同様の管理用情報がＤＶＤ信号処理部１４に出力されて光ディスク２に記録され、これによりＶＴＳＩ、ＶＴＳＭ  ＶＯＢＳの領域が形成される。
【００９２】
光ディスク装置１では、これにより動画によるビデオデータが１タイトル記録される。これらにより光ディスク装置１では、動画によるファイルを記録する場合、ＶＴＳＩによる管理用情報、ＶＴＳＭ  ＶＯＢＳによる管理用情報、ファイル、ＶＴＳＩ  ＢＵＰによる管理用情報が連続するフォーマットであるＤＶＤビデオフォーマットにより管理用情報、ファイルが記録される。光ディスク装置１では、続いてユーザーにより動画の記録が指示された場合、同様の処理の繰り返しにより順次光ディスク２にタイトルが記録される。
【００９３】
またこのようにして動画を１タイトル記録すると、光ディスク２の内周側ＲＭＡを構成する管理テーブルに、タイトルの先頭記録位置、末尾の記録位置を示すアドレスが記録される。
【００９４】
このようにしてタイトルを順次記録してなる、未だファイナライズしていない光ディスクが装填された場合等にあっては、当初、ＲＭＡのデータを取得することにより、この管理用テーブルが取得され、この管理用テーブルを基準にした光ディスク２のスキャンにより、このようにタイトルと組にして記録された管理用情報が順次取得されてマイコン４のメモリに保持される。さらにこのように取得した管理用情報を基準にしてユーザーの再生の指示に係る動画ファイルが再生される。
【００９５】
光ディスク装置１では、このようにしてタイトルを記録して、ユーザーによりファイナライズの処理が指示されると、管理用テーブルの記録に基づいてメモリに記録してなるタイトルと組を形成する管理用情報によりＵＤＦ、ＶＭＧのデータが生成され、これらが光ディスク２に確保された内周側領域に記録され、またリードイン、リードアウトが形成される。これによりこの光ディスクにあっては、通常のＤＶＤフォーマットのみに対応するＤＶＤプレイヤーで再生可能に設定される。
【００９６】
これに対してユーザーにより静止画の記録モードが選択された場合、バージンディスクにおいては、動画の場合と同様にして、パディングによりＵＤＦ、ＶＭＧの領域が確保される。また光ディスク装置においては、撮像手段の動作モードが静止画のモードに切り換えられ、圧縮／伸長処理部６における動作モードがＪＰＥＧによるデータ圧縮の動作モードに切り換えられる。
【００９７】
この状態でユーザーにより静止画の録画開始が指示されると、映像入力部３より入力される静止画によるビデオデータが圧縮／伸長処理部６のビデオ処理部８でＪＰＥＧのフォーマットによりデータ圧縮された後、オーディオ処理部１１より出力されるオーディオデータと多重化処理部１０で多重化処理される。これにより光ディスク装置１では、動画によるビデオデータに代えて、静止画によるビデオデータにより記録に供するデータが生成され、このデータが動画による場合と同様にして順次光ディスク２に記録される。
【００９８】
光ディスク装置１においては、動画の記録においては、始めにＶＴＳＩ、ＶＴＳＭ  ＶＯＢＳの領域を確保して実データを記録するのに対し、この静止画の記録においては、パディングにより確保した領域の先頭に戻って、このような領域を確保することなく静止画による実データを記録する。またユーザーにより続く静止画の記録が指示されると、同様にして、続く静止画が光ディスク２に記録される。またこれらの記録毎に、各ファイルの記録位置等がメモリに記録される。
【００９９】
光ディスク装置１では、このようにして所望するファイル数だけ静止画によるファイルを光ディスクに記録してユーザーによる動作モードの切り換え等により静止画の記録停止が指示されると、メモリに保持した記録位置等による管理用情報がこれら複数ファイル分、続く領域に、ファイナライズまでの一時的な中間管理情報として記録される。これにより光ディスク装置１では、動画以外のファイルを記録する場合には、ファイル、対応する管理用情報の順となるように、ファイル及び管理用情報が記録され、記録するファイルの属性によりファイル及び管理用情報の記録フォーマットが切り換えられる。
【０１００】
これにより光ディスク装置１では、ＤＶＤビデオフォーマットで定義されていない静止画等のファイルについても光ディスク２に記録することができる。またこのようにして記録した光ディスク２を通常のＤＶＤビデオフォーマットのみをサポートする光ディスク装置に装填した場合、装填時等のサーチによりＶＴＳＩ等のＤＶＤビデオフォーマットに従って記録した管理用情報が検出され、この管理用情報によりＶＴＳが再生されることにより、このようにして記録した静止画等のファイル、対応する管理用情報については、何ら動画の再生に影響を与えないようにすることができる。これによりこのようにして記録した光ディスクにおいては、通常のＤＶＤプレイヤーにより動画のファイルを再生することが可能となる。
【０１０１】
光ディスク装置１では、このような中間管理用情報ＤＫが（図１）、連続して記録した複数ファイルでまとめられて、全体を管理する管理情報ＣＩが記録された後、各ファイルの先頭位置、ファイル名を示す個別情報ＥＸＦが記録されて形成され、この中間管理用情報ＤＫの先頭アドレスが拡張ファイルの案内情報ＴＥとして光ディスク２の内周側、固定した領域に記録される。さらにこの拡張ファイルの案内情報ＴＥの記録位置情報が、管理用テーブルＴＶに記録される。
【０１０２】
これによりこのような動画以外のファイルをもサポートする光ディスク装置によれば、静止画のファイルについても再生することが可能となる。すなわちこのような光ディスク２が装填された場合、光ディスク装置１では、管理用テーブルを基準にした光ディスク２のサーチにより、ＶＴＳ、ＶＴＳＭ  ＶＯＢＳのデータだけでなく、静止画ファイルの中間管理用情報ＤＫについても光ディスク２より再生され、マイコン４のメモリに保持される。
【０１０３】
これにより例えばユーザーの指示により光ディスク２に記録された動画及び静止画のタイトル等をユーザーに提供することができる。またユーザーによる再生の指示により、ユーザーが動画の再生を指示した場合、ＶＴＳ、ＶＴＳＭ  ＶＯＢＳのデータにより再生専用の光ディスクについて上述したと同様にして対応する動画ファイルが再生される。
【０１０４】
これに対してユーザーにより静止画ファイルの再生が指示された場合、メモリに保持した中間管理用情報ＤＫより対応するファイルの記録位置等が検出され、この検出結果により順次光ディスク２に記録されたデータが再生されて、動画による再生データと同様の経路により処理される。光ディスク装置１では、この再生データの処理において、静止画による再生データを処理する場合には、ＪＰＥＧによりデータ圧縮したビデオデータをデータ伸長するように、ビデオ処理部８の処理がマイコン４により切り換えられ、これにより静止画によるビデオデータをモニタ部１２により確認し、さらにはビデオ／オーディオエンコーダ１３より外部機器に出力することが可能となる。
【０１０５】
このような静止画等によるファイルにあっては、一般に、動画によるファイルに比してファイルサイズが小さいのに対し、光ディスク装置１では、このような管理用情報である中間管理情報が複数ファイル分まとめて作成されて記録される（図１）。これにより光ディスク装置１では、このような静止画ファイル等による拡張ファイルを記録するにつき、管理用ファイルの記録による記録領域の減少を低減することができる。
【０１０６】
またこのように複数ファイル分まとめて記録する場合に、ファイルの属性であるファイルの種類毎にまとめて記録するようになされ、これによりサーチ処理、後述するファイナライズにおける処理等を簡略化することができるようになされている。
【０１０７】
特に、このような中間管理用情報ＤＫにおいては、各種ファイルの記録により、記録位置が種々に変化するのに対し、多数のファイルの記録が予測される。このような記録位置の変化に対しては、管理用テーブルの記録により対応できるものの、管理用テーブルのみで動画ファイルの場合と同様に個々の拡張ファイルに対応する場合には、多数のファイルの記録に対応できなくなる。しかしながらこの実施の形態では、この管理用テーブルにより拡張ファイルの案内情報ＴＥが管理され、この拡張ファイルの案内情報ＴＥにより連続して記録した拡張ファイルをまとめて管理する管理情報ＣＩが管理されることにより、このような記録位置の変化と、多数のファイルとの記録に同時に対応することができる。
【０１０８】
またこのような管理用テーブルに中間管理用情報ＤＫの位置情報ＴＥが記録されていることにより、この位置情報を基準にして光ディスク２をアクセスすることにより、簡易かつ高速度で拡張ファイルをアクセスすることができる。また動画ファイル用の管理用テーブルＴＶをこのように利用することにより、拡張ファイル専用に、この種のテーブルを別途作成することによる情報記録面の消費を防止し得、その分情報記録面を有効利用することができる。
【０１０９】
光ディスク装置１では、このようにして拡張ファイルを中間管理用情報ＤＫと共に組にして記録するにつき、新たに中間管理用情報ＤＫを記録する場合には、既に光ディスク２に記録されている中間管理用情報ＤＫについてもまとめられて記録される（図５）。またこのように最後にまとめた中間管理用情報ＤＫの更新により、拡張ファイルの更新、削除の処理が実行される。これにより光ディスク装置１では、拡張ファイルを離散的に多数記録した場合でも、１箇所の中間管理用情報ＤＫの取得により、対応する拡張ファイルをアクセスすることができ、これによっても高速度で光ディスク２をアクセスすることができる。
【０１１０】
光ディスク装置１では、これらによりいわゆるバージンディスク、動画のみ記録して未だファイナライズされていない光ディスク、動画及び静止画のファイルを記録して未だファイナライズされていない光ディスクに対して、動画及び静止画のファイルがユーザーの操作により順次記録される。
【０１１１】
これに対してこのようにして動画及び静止画を記録してなる光ディスクについて、ユーザーによりファイナライズが指示されると、管理テーブルに基づいて光ディスクより取得してメモリに保持した管理用情報、中間管理情報、動画及び静止画の記録により作成してメモリに保持した管理用情報、中間管理情報により、コンピュータ用のＵＤＦのデータが作成され、このデータが光ディスク２に事前に確保された領域に記録される。また動画ファイルの管理用情報だけからＤＶＤプレイヤー用のＶＭＧデータが生成され、同様にして光ディスク２に記録される。
【０１１２】
これにより光ディスク装置１では、光ディスク２の管理用情報記録領域のうちの、第１の管理用情報記録領域であるＵＤＦ領域に、光ディスク２に記録された全てのファイルについて、組による管理用情報がまとめて記録されるのに対し、第２の管理用情報記録領域であるＤＶＤ用のＶＭＧ領域に、光ディスクに記録された特定の属性のファイルである動画ファイルについてのみ、組による管理用情報がまとめて記録される。
【０１１３】
これによりこのようにファイナライズされた光ディスクをＤＶＤプレイヤーより再生する場合、ＤＶＤ用であるＶＭＧ領域を基準にして光ディスク２に記録されたファイルが再生されることにより、静止画等のファイルの記録については、動画の再生に何ら影響を与えることなく、確実にＤＶＤビデオフォーマットによる動画を再生することができる。
【０１１４】
またこのようにファイナライズされた光ディスクをコンピュータにより再生する場合には、ＵＤＦがコンピュータのファイル管理システムに対応するファイル管理フォーマットであり、コンピュータにおいては、ＵＤＦにより各ファイルを再生することにより（図５）、動画のファイルはもとより、静止画等のファイルについても再生して利用することが可能となる。
【０１１５】
（１−３）第１の実施の形態の効果
以上の構成によれば、光ディスクの固定した領域に記録した管理用テーブルにより管理用情報の記録位置を特定できるようにして、ファイルと組にして記録する管理用情報のフォーマットをファイルの属性により切り換えることにより、例えば動画以外の静止画等のファイルについても記録することができるようにして、情報記録面を有効利用し、高速度でサーチすることができる。
【０１１６】
またこのような拡張ファイルの管理用情報の記録位置を特定する拡張ファイルの案内情報の記録位置を、光ディスクの最初のファイルの記録開始位置の内周側領域に設定することにより、この案内情報についても、固定した領域に記録することができ、これにより管理用テーブルを無関係に、この拡張ファイルの案内情報をアクセスして管理用情報の記録位置を特定することもでき、これによっても情報記録面を有効利用し、高速度でサーチすることができるようにする。
【０１１７】
すなわち動画のファイルについては、管理用情報、ファイル、管理用情報のバックアップ用情報が順次連続するように、さらにはＤＶＤビデオフォーマットにより、ファイル及び管理用情報を記録し、動画以外のファイルについては、ファイル、管理用情報の順となるように記録することにより、ＤＶＤビデオフォーマットにより定義されていないファイルを記録して、動画ファイルの再生には何ら影響を与えないようにすることができる。
【０１１８】
また拡張ファイルの追加記録により対応する管理用情報を記録する場合、既に記録済の拡張ファイルについての管理用情報をまとめて記録し、この記録に対応するように拡張ファイルの案内情報を更新することにより、１つの管理用情報の再生により光ディスクに記録された全ての拡張ファイルについて記録位置を特定することができ、その分、光ディスク２の頻繁なアクセスを防止することができる。
【０１１９】
またこのようにして記録した動画以外の管理用情報に基づいて、光ディスクに記録された各属性のファイルを再生することにより、動画以外のファイルについても再生して利用することができる。
【０１２０】
またユーザーによる指示により、第１の管理用情報記録領域に、光ディスクに記録された全てのファイルについて、組による管理用情報をまとめて記録し、第２の管理用情報記録領域に、特定の属性のファイルについてのみ、組による管理用情報をまとめて記録することにより、通常のＤＶＤプレイヤーによっては動画を再生できるようにし、コンピュータによっては動画、静止画等の全てのファイルを再生可能とすることができる。
【０１２１】
（２）第２の実施の形態
図９及び図１０は、図１及び図５との対比による中間管理情報の記録方法の説明に供する図表である。この実施の形態に係る光ディスク装置においては、拡張ファイルの案内情報ＴＥについては、中間管理用情報ＤＫと共に、最後に記録した拡張ファイルの末尾に記録する。なおこの拡張ファイルの案内情報ＴＥに係る処理が異なる点を除いて、この実施の形態に係る光ディスク装置においては、第１の実施の形態について上述した光ディスク装置１と同一に構成されることにより、この実施の形態では、重複した説明は省略する。
【０１２２】
この光ディスク装置において、マイコンは、図９（Ａ）に示すように、拡張ファイルＥＦ１、ＥＦ２、ＥＦ３を記録すると、続いて拡張ファイルの案内情報ＴＥを記録し、続いて管理情報ＣＩ、個別情報ＥＸＦ１〜ＥＸＦ３による中間管理用情報ＤＫを記録する。またこのようにして記録した案内情報ＴＥの先頭アドレスを管理テーブルＴＶに記録する。
【０１２３】
またこのようにして記録した拡張ファイルＥＦ１、ＥＦ２、ＥＦ３の更新、削除においては、対応する個別情報ＥＸＦ１〜ＥＸＦ３自体の削除により、又は対応するファイルが削除されたことを示す無効のフラグの設定等により、個別情報ＥＸＦ１〜ＥＸＦ３を更新して処理する（図９（Ｂ）〜（Ｄ））。またこれら個別情報ＥＸＦ１〜ＥＸＦ３の更新においては、案内情報ＴＥと中間管理用情報ＤＫをまとめて上書きすることにより実行する。なおこのような実際の光ディスク２の記録の更新にあっては、第１の実施の形態と同様に、それまでメモリ上で実行し、光ディスクの排出時等に実行する点は、第１の実施の形態と同一である。
【０１２４】
これに対して図１０に示すように、拡張ファイルの追加記録により、中間管理用情報ＤＫ１を新たに記録する場合、それまでの中間管理用情報ＤＫをまとめて管理情報ＣＩを生成し、また対応する案内情報ＴＥを生成し、これらを拡張ファイルに続いて順次記録する。またこの記録に対応するように、管理用テーブルＴＶの記録を更新する。また光ディスク２に記録した全ての拡張ファイルの削除、更新については、この最後に記録した中間管理用情報ＤＫ１の更新により処理する。
【０１２５】
この実施の形態のように、拡張ファイルの案内情報の記録位置を、光ディスクに記録された最後の拡張ファイルに続く領域であるように設定し、拡張ファイルの案内情報が可変する場合でも、第１の実施の形態と同様の効果を得ることができる。
【０１２６】
（３）第３の実施の形態
この実施の形態においては、本発明をパーソナルコンピュータの外部記憶装置である光ディスク装置に適用し、上述した拡張ファイルに、静止画ファイル以外の、例えばＶＴＳとは異なるフォーマットによる動画ファイル、テキストファイル、地図データのファイル等、各種ファイルを適用して、上述の第１又は第２実施の形態と同様に光ディスク２に記録し、また光ディスク２をファイナライズ処理する。
【０１２７】
この実施の形態のように、拡張ファイルに静止画以外のファイルを適用するようにしても、第１及び第２の実施の形態と同様の効果を得ることができる。
【０１２８】
（４）他の実施の形態
なお上述の実施の形態においては、光ディスクに拡張ファイルの案内情報を１つ記録する場合について述べたが、本発明はこれに限らず、例えば連続して記録した拡張ファイルの集まりにそれぞれ対応する拡張ファイルの案内情報を記録する場合等、必要に応じて複数の案内情報を記録する場合にも広く適用することができる。
【０１２９】
また上述の実施の形態においては、拡張ファイルの案内情報をファイナライズまでの一時的な情報として使用する場合について述べたが、本発明はこれに限らず、ファイナライズ以降においても利用するようにしてもよい。
【０１３０】
また上述の実施の形態においては、光ディスク装置に事前にインストールされた処理プログラムにより一連の処理を実行する場合について述べたが、本発明はこれに限らず、インターネット等のネットワークを介してダウンロードしたプログラムのインストールによりこの種の処理手順を実行する場合、さらには各種の記録媒体により提供されるプログラムのインストールによりこの種の処理手順を実行する場合等にも広く適用することができる。なおこのような記録媒体としては、磁気ディスク、光ディスク、磁気テープ等の記録媒体を適用することができる。
【０１３１】
また上述の実施の形態においては、撮像機能を有する光ディスク装置、コンピュータの外部記憶装置である光ディスク装置に本発明を適用する場合について述べたが、本発明はこれに限らず、コンピュータのアプリケーションプログラムによりこの種の処理を実行する場合等にも広く適用することができる。
【０１３２】
【発明の効果】
上述のように本発明によれば、光ディスクの固定した領域に記録した管理用テーブルにより管理用情報の記録位置を特定できるようにして、ファイルと組にして記録する管理用情報のフォーマットをファイルの属性により切り換えることにより、例えば動画以外の静止画等のファイルについても記録することができるようにして、情報記録面を有効利用し、高速度でサーチすることができる。
【図面の簡単な説明】
【図１】本発明の第１の実施の形態に係る光ディスク装置における管理用情報の処理の説明に供する図表である。
【図２】本発明の第１の実施の形態に係る光ディスク装置を示すブロック図である。
【図３】図２の光ディスク装置における処理手順の説明に供するフローチャートである。
【図４】図２の光ディスク装置における拡張ファイルの記録の説明に供する図表である。
【図５】拡張ファイルの追加記録時における管理用情報の処理の説明に供する図表である。
【図６】光ディスクにおけるディレクトリ構造の説明に供する図表である。
【図７】図３の処理手順における記録処理手順を示すフローチャートである。
【図８】図３の処理手順における再生処理手順を示すフローチャートである。
【図９】本発明の第２の実施の形態に係る光ディスク装置における管理用情報の処理の説明に供する図表である。
【図１０】拡張ファイルの追加記録時における管理用情報の処理の説明に供する図表である。
【図１１】ＤＶＤビデオフォーマットの説明に供する図表である。
【図１２】ＲＯＷ方式による記録の説明に供する図表である。
【符号の説明】
１、３１……光ディスク装置、２……光ディスク、４、２４……マイコン、６、２６……圧縮／伸長処理部
【図１】
0003707685.tif 000002
【図２】
0003707685.tif 000003
【図３】
0003707685.tif 000004
【図４】
0003707685.tif 000005
【図５】
0003707685.tif 000006
【図６】
0003707685.tif 000007
【図７】
0003707685.tif 000008
【図８】
0003707685.tif 000009
【図９】
0003707685.tif 000010
【図１０】
0003707685.tif 000011
【図１１】
0003707685.tif 000012
【図１２】
0003707685.tif 000013